(57)【要約】      （修正有）【課題】クッション型水素装置を提供する。【解決手段】クッション型水素装置は処理ユニット１１と、ガス発生ユニット１２と、給電ユニット１３とが内設されるクッション１０を備える。ガス発生ユニット１２は処理ユニット１１に電気的に接続されると共に水素及び酸素を発生させるために使用され、ガス発生ユニット１２はガス収集ユニットと供給管路を備え、ガス収集ユニットにより発生した水素及び酸素が供給管路を経由してクッション１０の表面に設けられる少なくとも１つの排気孔に輸送される。給電ユニット１３も処理ユニット１１に電気的に接続されると共にガス発生ユニット１２に必要な電力を供給させる。使用者が本考案に座ると、ガス発生ユニット１２が発生させるガスがこれら前記排気孔を経由して人体の肛門、陰部或いは臀部及び大腿の付け根の皮膚に向けて噴射され、使用者の前記部位の炎症等の症状を和らげる。  【選択図】図１
0003206495.tif 000002
【実用新案登録請求の範囲】
【請求項１】
処理ユニットと、ガス発生ユニットと、給電ユニットとが内設されるクッションを備え、
前記ガス発生ユニットは前記処理ユニットに電気的に接続されると共に水素及び酸素を発生させるために使用され、
前記ガス収集ユニットにより発生した水素及び酸素が供給管路を経由して前記クッションの表面に設けられる少なくとも１つの排気孔に輸送され、
前記給電ユニットも前記処理ユニットに電気的に接続されると共に前記ガス発生ユニットに必要な電力を供給させることを特徴とする、
クッション型水素装置。
【請求項２】
前記ガス発生ユニットは、反応により発生した水の貯水に用いられる貯水ユニットを更に備えることを特徴とする、請求項１に記載のクッション型水素装置。
【請求項３】
前記貯水ユニットは送水管路により前記クッションに設けられる送水孔に更に連接され、これにより前記貯水ユニットの水が補充されることを特徴とする、請求項２に記載のクッション型水素装置。
【請求項４】
前記給電ユニットは一次電池であることを特徴とする、請求項１に記載のクッション型水素装置。
【請求項５】
前記給電ユニットは充電池であり、且つ前記給電ユニットは充電ユニットに更に接続され、前記充電ユニットは有線充電ユニット或いはワイヤレス充電ユニットであることを特徴とする、請求項１に記載のクッション型水素装置。
【請求項６】
前記給電ユニットは家庭用電源システム或いは電源供給器に電気的に接続されることを特徴とする、請求項１に記載のクッション型水素装置。
【請求項７】
前記クッション内には、前記処理ユニットに電気的に接続されて、前記クッション型水素装置の損害を防止させるための保護ユニットが更に設置されることを特徴とする、請求項１に記載のクッション型水素装置。
【請求項８】
前記クッション内には、前記処理ユニットに電気的に接続され、且つ空気噴射管路を介して前記ガス収集ユニットに接続され、これら前記ガスの噴射効果を高めるためのポンプユニットが更に設置されることを特徴とする、請求項１に記載のクッション型水素装置。
【請求項９】
前記クッション内には、前記処理ユニットに電気的に接続される振動ユニットが更に設置され、前記振動ユニットが起動すると、前記振動ユニットにより人体に対するマッサージが行われることを特徴とする、請求項１に記載のクッション型水素装置。
【請求項１０】
前記クッション内には、前記処理ユニットに電気的に接続され、遠赤外線波長を発生させて、人体に対する遠赤外線療法を行うための遠赤外線ユニットが設置されることを特徴とする、請求項１に記載のクッション型水素装置。
【請求項１１】
前記クッション内には、前記処理ユニットに電気的に接続され、人体の血液循環を促進させるための加熱ユニットが更に設置されることを特徴とする、請求項１に記載のクッション型水素装置。
【考案の詳細な説明】
【技術分野】
【０００１】
本考案は、水素を発生させるクッション型水素装置に関する。
【背景技術】
【０００２】
近年、水素（Ｈｙｄｒｏｇｅｎ）を利用して疾病を治療する医学的方法が数多く研究され、実際に医学及び保健分野で広く有効的に運用されている。水素が有する抗酸化能力により、炎症に対抗する効果がある。
【考案の概要】
【考案が解決しようとする課題】
【０００３】
また、人の一生の中では、座っている時間が非常に長く、椅子に座る際の快適さを高めるために、多くの人が椅子の上にクッションを敷いて前記クッションの上に座るようにしている。現在、市場に出回るクッションは、その多くはそれぞれ異なる材質或いは形状を採用しており、使用者毎に異なる需要に合わせて様々な機能を提供している。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の主な目的は、上述の問題を解決するために、使用者が本考案の上に座る際に、ガス発生ユニットが発生させたガスが少なくとも１つの排気孔を経由して人体の肛門、陰部或いは臀部及び大腿の付け根の皮膚に向けて噴射されて、使用者の前記部位の炎症等の症状を和らげる、クッション型水素装置を提供することにある。
【０００６】
本考案の他の目的は、振動ユニット、遠赤外線ユニット、加熱ユニット等のユニットを有し、使用者に対してマッサージ、治療、或いは使用者の血液循環の促進のために使用される、クッション型水素装置を提供することにある。
【課題を解決するための手段】
【０００７】
上述した課題を解決し、目的を達成するための、本考案に係るクッション型水素装置は、処理ユニットと、ガス発生ユニットと、給電ユニットとが内設されるクッションを備え、前記ガス発生ユニットは前記処理ユニットに電気的に接続されると共に水素及び酸素を発生させるために使用され、且つガス収集ユニットにより発生した水素及び酸素が供給管路を経由して前記クッションの表面に設けられる少なくとも１つの排気孔に輸送され、前記給電ユニットも前記処理ユニットに電気的に接続されると共に前記ガス発生ユニットに必要な電力を供給させることを特徴とする。
【０００８】
本考案に係るクッション型水素装置において、前記ガス発生ユニットは、反応により発生した水の貯水に用いられる貯水ユニットを更に備える。
【０００９】
本考案に係るクッション型水素装置において、前記貯水ユニットは送水管路により前記クッションに設けられる送水孔に更に連接され、これにより前記貯水ユニットの水が補充される。
【００１０】
本考案に係るクッション型水素装置において、前記給電ユニットは一次電池である。
【００１１】
本考案に係るクッション型水素装置において、前記給電ユニットは充電池であり、且つ前記給電ユニットは充電ユニットに更に接続され、前記充電ユニットは有線充電ユニット或いはワイヤレス充電ユニットである。
【００１２】
本考案に係るクッション型水素装置において、前記給電ユニットは家庭用電源システム或いは電源供給器に電気的に接続される。
【００１３】
本考案に係るクッション型水素装置において、前記クッション内には、前記処理ユニットに電気的に接続されて、前記クッション型水素装置の損害を防止させるための保護ユニットが更に設置される。
【００１４】
本考案に係るクッション型水素装置において、前記クッション内には、前記処理ユニットに電気的に接続され、且つ空気噴射管路を介して前記ガス収集ユニットに接続され、これら前記ガスの噴射効果を高めるためのポンプユニットが更に設置される。
【００１５】
本考案に係るクッション型水素装置において、前記クッション内には、前記処理ユニットに電気的に接続される振動ユニットが更に設置され、前記振動ユニットが起動すると、前記振動ユニットにより人体に対するマッサージが行われる。
【００１６】
本考案に係るクッション型水素装置において、前記クッション内には、前記処理ユニットに電気的に接続され、遠赤外線波長を発生させて、人体に対する遠赤外線療法を行うための遠赤外線ユニットが設置される。
【００１７】
本考案に係るクッション型水素装置において、前記クッション内には、前記処理ユニットに電気的に接続され、人体の血液循環を促進させるための加熱ユニットが更に設置される。
【考案の効果】
【００１８】
本考案によれば、使用者が座ると、ガス発生ユニットが発生させたガスが少なくとも１つの排気孔を経由して人体の肛門、陰部或いは臀部及び大腿の付け根の皮膚に向けて噴射され、使用者の前記部位の炎症等の症状を和らげる。また、振動ユニット、遠赤外線ユニット、加熱ユニット等のユニットを更に有し、使用者に対してマッサージ、治療、或いは使用者の血液循環の促進を行う。
【図面の簡単な説明】
【００１９】
【図１】本考案の第１実施形態によるクッション型水素装置を示すブロック図である。
【図２】本考案の第１実施形態によるクッション型水素装置を示す断面図である。
【考案を実施するための形態】
【００２０】
以下に図面を参照して、本考案を実施するための形態について、詳細に説明する。なお、本考案は、以下に説明する実施形態に限定されるものではない。
【実施例】
【００２１】
（第１実施形態）
本考案に係るクッション型水素装置は、処理ユニット１１と、ガス発生ユニット１２と、給電ユニット１３とが内設されるクッション１０を備え、前記ガス発生ユニット１２は前記処理ユニット１１に電気的に接続されると共に水素及び酸素を発生させるために使用される。また、ガス収集ユニット１２１により発生した水素及び酸素が供給管路１２２を経由して前記クッション１０の表面に設けられる少なくとも１つの排気孔１０１に輸送される。前記給電ユニット１３も前記処理ユニット１１に電気的に接続されると共に前記ガス発生ユニット１２に必要な電力を供給させる。
使用者が前記クッション１０に座ると、前記ガス発生ユニット１２が発生させたガスがこれら前記排気孔１０１を経由して人体の肛門、陰部或いは臀部及び大腿の付け根の皮膚に向けて噴射され、使用者の前記部位の炎症等の症状を和らげる（図１及び図２参照）。
【００２２】
更に詳しくは、前記ガス発生ユニット１２は、反応により発生した水の貯水に用いられる貯水ユニット１２３を更に備える。また、前記貯水ユニット１２３は送水管路（図示せず）を介して前記クッション１０に設けられる送水孔（図示せず）に更に連接されて、前記貯水ユニット１２３の水が補充され、或いは他の方式により水が補充されるが、ここではその方式の制限はない。
前記給電ユニット１３は一次電池または充電池であり、充電池である場合、前記給電ユニット１３は充電ユニット１３１に更に接続され、前記充電ユニット１３１により充電池に対する充電が行われる。前記充電ユニット１３１が有線充電ユニット或いはワイヤレス充電ユニットであるか、もしくは前記給電ユニット１３が家庭用電源システムや電源供給器に電気的に接続されて充電が行われる。
【００２３】
しかしながら、前記クッション型水素装置の損害を避けるため、前記クッション１０内には保護ユニット１４（例えば、ヒューズ）が更に設置され、且つ前記保護ユニット１４は前記処理ユニット１１に電気的に接続される。前記貯水ユニット１２３の貯水量が不足すると、前記給電ユニット１３の電力が不足するか、回路がショートする等するが、前記保護ユニット１４の作用により、前記クッション型水素装置の損害が確実に回避される。
【００２４】
このほか、前記クッション１０内には、別々に、または同時にポンプユニット１５と、振動ユニット１６と、遠赤外線ユニット１７と、加熱ユニット１８と、操作インターフェース（図示せず）とが設置され、且つこれら前記ユニットは共に前記処理ユニット１１に電気的に接続される。
次に、これらのユニットの作用をそれぞれ説明する。使用者は前記操作インターフェースを利用して、使用者の需要に合わせて他のユニットを起動或いは終了させることができる。起動状態を例にすると、前記ポンプユニット１５は空気噴射管路１５１を介して前記ガス収集ユニット１２１に接続され、且つ前記ガスの噴射効果が高められて、前記クッション１０に座る使用者がガス噴出の効果をより感じられるようになる。前記振動ユニット１６は人体の臀部に対するマッサージを行う。前記遠赤外線ユニット１７は遠赤外線波長を発生させて、人体に対する遠赤外線療法を行う。前記加熱ユニット１８（例えば、近赤外線ユニット）は加熱作用を発生させ、人体の血液循環を促進させる。
【００２５】
本考案のクッション型水素装置は、使用者が本考案に座ると、ガス発生ユニットが発生させたガスが少なくとも１つの排気孔を経由して人体の肛門、陰部或いは臀部及び大腿の付け根の皮膚に向けて噴射されて、使用者の前記部位の炎症等の症状を和らげる。また、振動ユニット、遠赤外線ユニット、加熱ユニット等のユニットを更に有し、使用者に対するマッサージ、治療、或いは使用者の血液循環の促進を行う。
【００２６】
本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００２７】
１０    クッション
１０１  排気孔
１１    処理ユニット
１２    ガス発生ユニット
１２１  ガス収集ユニット
１２２  供給管路
１２３  貯水ユニット
１２４  電解ユニット
１３    給電ユニット
１３１  充電ユニット
１４    保護ユニット
１５    ポンプユニット
１５１  空気噴射管路
１６    振動ユニット
１７    遠赤外線ユニット
１８    加熱ユニット
【図１】
0003206495.tif 000003
【図２】
0003206495.tif 000004
【手続補正書】
【提出日】平成28年7月14日(2016.7.14)
【手続補正１】
【補正対象書類名】実用新案登録請求の範囲
【補正対象項目名】全文
【補正方法】変更
【補正の内容】
【実用新案登録請求の範囲】
【請求項１】
処理ユニットと、ガス発生ユニットと、給電ユニットとが内設されるクッションを備え、
前記ガス発生ユニットは前記処理ユニットに電気的に接続されると共に水素及び酸素を発生させるために使用され、
前記ガス発生ユニットはガス収集ユニットと供給管路を備え、
前記ガス収集ユニットにより発生した水素及び酸素が前記供給管路を経由して前記クッションの表面に設けられる少なくとも１つの排気孔に輸送され、
前記給電ユニットも前記処理ユニットに電気的に接続されると共に前記ガス発生ユニットに必要な電力を供給させることを特徴とする、
クッション型水素装置。
【請求項２】
前記ガス発生ユニットは、反応により発生した水の貯水に用いられる貯水ユニットを更に備えることを特徴とする、請求項１に記載のクッション型水素装置。
【請求項３】
前記貯水ユニットは送水管路により前記クッションに設けられる送水孔に更に連接され、これにより前記貯水ユニットの水が補充されることを特徴とする、請求項２に記載のクッション型水素装置。
【請求項４】
前記給電ユニットは一次電池であることを特徴とする、請求項１に記載のクッション型水素装置。
【請求項５】
前記給電ユニットは充電池であり、且つ前記給電ユニットは充電ユニットに更に接続され、前記充電ユニットは有線充電ユニット或いはワイヤレス充電ユニットであることを特徴とする、請求項１に記載のクッション型水素装置。
【請求項６】
前記給電ユニットは家庭用電源システム或いは電源供給器に電気的に接続されることを特徴とする、請求項１に記載のクッション型水素装置。
【請求項７】
前記クッション内には、前記処理ユニットに電気的に接続されて、前記クッション型水素装置の損害を防止させるための保護ユニットが更に設置されることを特徴とする、請求項１に記載のクッション型水素装置。
【請求項８】
前記クッション内には、前記処理ユニットに電気的に接続され、且つ空気噴射管路を介して前記ガス収集ユニットに接続され、これら前記ガスの噴射効果を高めるためのポンプユニットが更に設置されることを特徴とする、請求項１に記載のクッション型水素装置。
【請求項９】
前記クッション内には、前記処理ユニットに電気的に接続される振動ユニットが更に設置され、前記振動ユニットが起動すると、前記振動ユニットにより人体に対するマッサージが行われることを特徴とする、請求項１に記載のクッション型水素装置。
【請求項１０】
前記クッション内には、前記処理ユニットに電気的に接続され、遠赤外線波長を発生させて、人体に対する遠赤外線療法を行うための遠赤外線ユニットが設置されることを特徴とする、請求項１に記載のクッション型水素装置。
【請求項１１】
前記クッション内には、前記処理ユニットに電気的に接続され、人体の血液循環を促進させるための加熱ユニットが更に設置されることを特徴とする、請求項１に記載のクッション型水素装置。